(57)【特許請求の範囲】
【請求項１】
演奏時に奏者に対面して立設される板状のメインボードと、
前記メインボードの奏者側面に設けられ、奏者側からみてドラムのシェル型を呈する円形または多角形の枠部と、
前記メインボードの前記奏者側面の反対側に突出して設けられ、該反対側からみてドラム型を呈するケース部と、
前記枠部内における前記奏者側面において、フットペダルの足による操作によって打撃される位置に設けられた被打撃部と、
前記ケース部内に収容され、且つ、奏者側からみて前記枠部内における前記被打撃部を避けた位置に配設された音響発生部とを有することを特徴とする電子打楽器装置。
【請求項２】
奏者側からみて前記ケース部の外郭と前記枠部の外郭とは一致していることを特徴とする請求項１記載の電子打楽器装置。
【請求項３】
奏者側からみて前記枠部の外郭形状は、前記メインボードの外郭形状とは異なる形状となっていることを特徴とする請求項１または２記載の電子打楽器装置。
【請求項４】
前記ケース部内に配設された基板を有することを特徴とする請求項１〜３のいずれか１項に記載の電子打楽器装置。
【請求項５】
前記音響発生部は、複数設けられ、各音響発生部の放音部が奏者側を向くように配設されたことを特徴とする請求項１〜４のいずれか１項に記載の電子打楽器装置。
【発明の詳細な説明】
【技術分野】
【０００１】
本発明は、打撃により電気的に楽音を発生させる電子打楽器装置に関する。
【背景技術】
【０００２】
従来、電子打楽器装置においては、一般に、被打撃部であるパッド等のドラムボードを備え、打撃による楽音を、スピーカ等の音響発生部で電気的に発生させるように構成される。下記非特許文献１、２に示される電子打楽器装置では、音響発生部が、アンプシステムを含んで、ドラムボードセットとは別個に構成され、演奏時にはドラムボードセットの近くの床面等に設置される。
【非特許文献１】ＬＭ営業部企画推進室ＧＤ担当、「Ｄｒｕｍｓ  ABSOLUTELY  HANDCRAFTED」、ヤマハ株式会社、２００５年１０月作成、ｐ４１
【非特許文献２】“ＹＡＭＡＨＡ  Ｄｒｕｍ  ｗｅｂ  ｍａｇａｚｉｎｅ”、［online］、サイレントセッションドラムＤＴＸＰＲＥＳＳIII、〔平成１８年２月６日検索〕、インターネット＜ＵＲＬ：http://www.yamaha.co.jp/gateway/goods/0000002854/0000002854_D1.html＞
【発明の開示】
【発明が解決しようとする課題】
【０００３】
しかしながら、上記非特許文献１、２の打楽器装置では、ドラムボードセットから音響発生部、あるいは音響発生部内の基板への電気配線を行う必要があり、配線接続が煩雑であるだけでなく、外部から見えて見苦しいという問題があった。
【０００４】
本発明は上記従来技術の問題を解決するためになされたものであり、その目的は、音響発生部の打撃からの保護を確保しつつ、音響発生部への外部配線を不要にして配線接続を簡素化することができる電子打楽器装置を提供することにある。
【課題を解決するための手段】
【０００６】
上記第１の目的を達成するために本発明の請求項１の電子打楽器装置は、演奏時に奏者に対面して立設される板状のメインボード（１０）と、前記メインボードの奏者側面に設けられ、奏者側からみてドラムのシェル型を呈する円形または多角形の枠部（１３）と、前記メインボードの前記奏者側面の反対側に突出して設けられ、該反対側からみてドラム型を呈するケース部と、前記枠部内における前記奏者側面において、フットペダルの足による操作によって打撃される位置に設けられた被打撃部（１２）と、前記ケース部内に収容され、且つ、奏者側からみて前記枠部内における前記被打撃部を避けた位置に配設された音響発生部（１７）とを有することを特徴とする。
【００１０】
なお、上記括弧内の符号は例示である。
【発明の効果】
【００１１】
本発明の請求項１によれば、音響発生部の打撃からの保護を確保しつつ、音響発生部への外部配線を不要にして配線接続を簡素化することができる。
【発明を実施するための最良の形態】
【００１５】
以下、本発明の実施の形態を図面を参照して説明する。
【００１６】
図１、図２は、本発明の一実施の形態に係る電子打楽器装置の斜視図である。この打楽器装置は電子ドラムとして構成される。以降、本打楽器装置の奏者が座る側を「奏者側」乃至「正面側」、これと反対の観客が居る側を「客側」乃至「背面側」と呼称する。また、本打楽器装置の前後左右の方向は、奏者を基準として呼称する。図１は斜め奏者側から見た図、図２は斜め客側から見た図である。
【００１７】
本打楽器装置は、メインボード１０と、複数の打撃用のドラムボード２０（２０Ａ〜２０Ｇ）を備える。詳細は後述するように、各ドラムボード２０は、メインボード１０に対して展開／折り畳み自在で、演奏に適した「展開状態」と、収納に適した「折り畳み状態」とに配置状態が可変に構成されており、図１、図２では、展開状態が示されている。
【００１８】
図３は、本打楽器装置の展開状態における正面図（奏者側から見た図）である。図４は、本打楽器装置の展開状態における左側面図である。図５は、本打楽器装置の展開状態における平面図である。図６は、本打楽器装置の折り畳み状態における正面図である。図７は、本打楽器装置の折り畳み状態における左側面図である。図８は、本打楽器装置の折り畳み状態における平面図である。
【００１９】
メインボード１０は、木質材等によって板状に構成され、その外縁１１は、正面視で横長の長方形に構成される（図３、図６参照）。メインボード１０の奏者側面１０ａの左右端部の下半部には、脚部６０Ａ、６０Ｂが設けられ、客側面１０ｂの左右端部には、脚部６０Ｃ、６０Ｄが設けられている。メインボード１０の立設状態においては、これら４本の脚部６０によって、メインボード１０の下部が床面から浮いた状態で、垂直に立設される（立設状態）（図１〜図５参照）。
【００２０】
ドラムボード２０は、不図示のドラムスティックによって打撃される。図１に示すように、ドラムボード２０Ａ、２０Ｂは、メインボード１０の奏者側において左右に離間して設けられる。ドラムボード２０Ｃ、２０Ｄ及びドラムボード２０Ｅ、２０Ｆは、それぞれ、メインボード１０の客側において左右に離間して設けられ、ドラムボード２０Ｇは、ドラムボード２０Ａに近接して設けられ、展開状態においては、ドラムボード２０Ａよりも上方且つ左方に位置する。また、メインボード１０の上部の奏者側において、左右方向中央に、操作パネル部１９が配置される。メインボード１０の下部には、フットペダル取付部１４が、奏者側に突設されている。
【００２１】
図９は、図５のＡ−Ａ線に沿う断面図である。図２、図９に示すように、メインボード１０の客側の中央には、ケース部１５が設けられる。ケース部１５は、メインボード１０の客側面１０ｂから客側に突出しており、内部に空間を有している。ケース部１５は、客側から見て、一般的なアコースティックドラムセットにおけるバスドラム型を呈する円形に構成され、バスドラムのシェルと同程度の直径を有する（図２参照）。これにより、ケース部１５が、客側からアコースティックドラムセットにおけるバスドラムを想起させる。
【００２２】
また、図１、図３、図６、図９に示すように、メインボード１０の奏者側面１０ａにおいては、ケース部１５の外径と同じ直径を有する円形の枠部１３が設けられている。枠部１３は、奏者側からアコースティックドラムセットにおけるバスドラムを想起させるべく、正面視、バスドラムのシェル型を呈している。枠部１３は円形にかぎられず、多角形でもよい。また、メインボード１０の奏者側面１０ａにおける、枠部１３の中央部には、バスドラムボード１２が固定的に配設される。フットペダル取付部１４には、不図示のフットペダルが装着される。そして、該フットペダルの押下操作により可動するビータ（図示せず）によって、バスドラムボード１２が打撃される。
【００２３】
図３、図９に示すように、ケース部１５内には回路基板（以下、単に「基板」と称する）１８、左右２つのスピーカ１７（１７Ｌ、１７Ｒ）が収容されている。図９に示すように、ケース部１５の客側の面の内側には裏板２７が設けられ、基板１８は、複数の取り付け部２６を介して裏板２７に取り付けられている。また、スピーカ１７は、メインボード１０に取り付けられて、その放音部が奏者側を向き、奏者側に放音するようになっている。図３に示すように、２つのスピーカ１７は、正面視において、枠部１３内であって、且つバスドラムボード１２を避けた位置に配置されている。これにより、バスドラムボード１２の打撃からスピーカ１７が保護される。なお、スピーカ１７の配置は、枠部１３内であってバスドラムボード１２を避けた位置であれば、他の位置でもよい。
【００２４】
図２に示すように、ケース部１５の客側の面の左下部には、端子群１６が設けられる。端子群１６は、ケース部１５に描かれたマーキング部３２内に配置される。端子群１６には、例えば、左側から、ＵＳＢ端子、ヘッドホン端子、足操作用のハイハット端子、電源端子等が含まれる。端子群１６は、正面視において、基板１８と重なる位置に配置してもよい。
【００２５】
バスドラムボード１２は、アコースティックドラムセットにおけるバスドラムの中央部（主に打撃される部分）に相当する位置に配設される。一方、展開状態においては、ドラムボード２０Ａ、２０Ｂ、２０Ｃ、２０Ｄ、２０Ｅ、２０Ｆ、２０Ｇは、それぞれ、一般的なドラムセットにおけるスネアドラム、フロアタム、タムタム（小）、タムタム（大）、クラッシュシンバル（サイドシンバル）、ライドシンバル（トップシンバル）、ハイハットシンバルと同様の配置位置に配設される。
【００２６】
本打楽器装置においては、ドラムボード２０及び操作パネル部１９をメインボード１０に対して展開／折り畳み自在にするための回動機構部のタイプとして、第１回動機構部２１、第２回動機構部２２の２種類がある。図１に示すように、第１回動機構部２１Ａ、２１Ｂは、メインボード１０の奏者側面１０ａの上部左右端部近傍に取り付けられ、第１回動機構部２１Ｈは、奏者側面１０ａの上部左右方向中央に取り付けられる。図２に示すように、第２回動機構部２２Ｅ、２２Ｆは、メインボード１０の客側面１０ｂの上部左右端部に取り付けられている。また、第１回動機構部２１Ｃ、２１Ｄは、客側面１０ｂの上部において、第２回動機構部２２Ｅ、２２Ｆの左右方向外側の位置に取り付けられる。第１回動機構部２１Ｇ１、２１Ｇ２（図８参照）については、メインボード１０に取り付けられているのではなく、詳細は図１０で後述する。
【００２７】
まず、ドラムボード２０Ａ、２０Ｂ、２０Ｃ、２０Ｄは、それぞれアーム２５Ａ、２５Ｂ、２５Ｃ、２５Ｄを介して、第１回動機構部２１Ａ、２１Ｂ、２１Ｃ、２１Ｄに上下方向に（左右方向に直交する面に沿って）回動自在に連結されている（図２、図５、図６参照）。これにより、ドラムボード２０Ａ、２０Ｂは、アーム２５Ａ、２５Ｂがメインボード１０に対して少なくとも垂直になる角度から（図４参照）平行に近接する角度まで（図７参照）、少なくとも９０°の回動範囲で回動自在である。一方、ドラムボード２０Ｃ、２０Ｄは、アーム２５Ｃ、２５Ｄがメインボード１０に対して鉛直方向上方に延びる角度から（図４参照）平行に近接する角度まで（図７参照）、ほぼ１８０°の回動範囲で回動自在である。
【００２８】
操作パネル部１９は、上下方向に（左右方向に直交する面に沿って）回動自在に第１回動機構部２１Ｈに連結され（図１、図４参照）、９０°近くの回動範囲を有し、折り畳み状態ではメインボード１０に対して平行になる（図７参照）。
【００２９】
また、ドラムボード２０Ｅ、２０Ｆは、それぞれアーム２５Ｅ、２５Ｆを介して、第２回動機構部２２Ｅ、２２Ｆに、メインボード１０の面方向（面の広がり方向であり、客側面１０ｂに平行な面に沿う方向）に回動自在に連結されている（図２参照）。これにより、ドラムボード２０Ｅ、２０Ｆは、アーム２５Ｅ、２５Ｆがメインボード１０から鉛直方向上方に延びる角度から（図４参照）平行に近接する角度まで（図７参照）、ほぼ１８０°の回動範囲で回動自在である。ただし、ドラムボード２０Ｅ、２０Ｆは、それぞれメインボード１０の左側、右側の軌道を通って回動する。
【００３０】
第２回動機構部２２には、各々、スピーカ５０が内蔵されており（図１２で後述）、スピーカ５０の放音部５０ａが、メインボード１０の奏者側面１０ａの上部左右端部の、第２回動機構部２２に対応する位置において、奏者側に放音するべく奏者側を向いている（図１、図３、図６参照）。
【００３１】
以降、ドラムボード２０、第１回動機構部２１、第２回動機構部２２、アーム２５について、個々を区別しないときは、Ａ、Ｂ等を付加することなく記す。また、脚部６０についても同様とする。第１回動機構部２１、第２回動機構部２２の各詳細構成、及びこれらとアーム２５との関係については、図１１、図１２で後述する。
【００３２】
図示はしないが、基板１８には、音源回路、増幅回路、効果回路等の楽音発生のための回路が構成されている。また、ドラムボード２０、バスドラムボード１２の各々には、打撃を検出する不図示の打撃センサが設けられている。各打撃センサの検出信号は、基板１８に送られ、楽音信号に変換される。そして、その楽音信号が、スピーカ１７、５０から音響となって放音される。また、操作パネル部１９は、ＬＣＤ等で構成され、ユーザが、音色、音量、モード等、各種設定を行うのに用いられる。ドラムボード２０、バスドラムボード１２及び操作パネル部１９と基板１８とは、主にアーム２５内やメインボード１０内を通って配線されている。
【００３３】
各ドラムボード２０、バスドラムボード１２の打撃により発音される楽音の音色は、必ずしも一般のドラム装置と同じとする必要はなく、操作パネル部１９の操作により任意に設定することができる。また、それらの楽音の発音のスピーカへの割り当ても、任意に設定することができる。
【００３４】
本実施の形態における割り当てでは、一例として、バスドラムボード１２が、左右のスピーカ１７に割り当てられ、両スピーカ１７の中間に定位されている。また、ドラムボード２０Ａは、スピーカ１７Ｌ及び第２回動機構部２２Ｅ内のスピーカ５０に割り当てられ、ドラムボード２０Ｂは、スピーカ１７Ｒ及び右側の第２回動機構部２２Ｆ内のスピーカ５０に割り当てられている。ドラムボード２０Ｃ、２０Ｄは、スピーカ１７Ｌ、１７Ｒに割り当てられている。ドラムボード２０Ｅ、２０Ｆは、第２回動機構部２２Ｅ内のスピーカ５０、第２回動機構部２２Ｆ内のスピーカ５０にそれぞれ割り当てられている。ドラムボード２０Ｇは、第２回動機構部２２Ｅ内のスピーカ５０に割り当てられている。
【００３５】
図１０は、ドラムボード２０Ａ、２０Ｇを下方からみた部分下面図である。第１回動機構部２１Ａは、上述のように、メインボード１０の奏者側面１０ａの上部左端部近傍に取り付けられ、スピーカ５０の放音部５０ａの直ぐ右側に位置している（図１、図３参照）。図１０に示すように、アーム２５Ａの基端部２５Ａａが第１回動機構部２１Ａに接続され、アーム２５Ａの自由端部２５Ａｂに、ドラムボード２０Ａが角度固定に取り付けられている。ドラムボード２０Ｂについても、同様に、アーム２５Ｂ（図５参照）の自由端部に角度固定に取り付けられている。
【００３６】
図１０に示すように、アーム２５Ａの左側部には、板状で底面視略三角形の連結アーム２５Ｇ１が一体に形成されている。すなわち、連結アーム２５Ｇ１の基端部２５Ｇ１ａが、アーム２５Ａの左側部に接続され、連結アーム２５Ｇ１の自由端部２５Ｇ１ｂには、第１回動機構部２１Ｇ１が取り付けられている。そして、第１回動機構部２１Ｇ１には、アーム２５Ｇ２の基端部が接続され、アーム２５Ｇ２の自由部には、第１回動機構部２１Ｇ２が接続されている。ドラムボード２０Ｇは、第１回動機構部２１Ｇ２に取り付けられている。
【００３７】
このような構成により、アーム２５Ｇ２は、第１回動機構部２１Ｇ１を中心として、アーム２５Ａの長手方向に垂直な面に沿う方向に回動自在とされる。また、ドラムボード２０Ｇは、第１回動機構部２１Ｇ２を中心として、アーム２５Ａの長手方向に垂直な面に沿う方向に回動自在とされる。従って、第１回動機構部２１Ｇ１、２１Ｇ２を介して、ドラムボード２０Ｇの配置を、ドラムボード２０Ａに対して右上方に離間する位置（図３、図４等）と、ドラムボード２０Ａ上に積層される位置（図７、図８等参照）とに変えることができる。
【００３８】
図２、図４、図７に示すように、アーム２５Ｃ、２５Ｄの自由端部とドラムボード２０Ｃ、２０Ｄとの間には、それぞれ回動首部２３Ｃ、２３Ｄが介装される。アーム２５Ｅ、２５Ｆの各自由端部２５Ｅｂ、２５Ｆｂとドラムボード２０Ｅ、２０Ｆとの間には、それぞれ回動首部２４Ｅ、２４Ｆが介装される。
【００３９】
図４、図７に示すように、回動首部２３Ｃのステイ３０が、ドラムボード２０Ｃに固定されると共に、アーム２５Ｃの自由端部に対して、左右方向に直交する面に沿って回動自在に連結されている。ステイ３０は板状に形成される。ステイ３０には、円弧状溝３０ａが形成されている。アーム２５Ｃの自由端部には、ピン３１が固定的に設けられており、円弧状溝３０ａ内に係合している。円弧状溝３０ａがピン３１と係合可能な範囲によって、ドラムボード２０Ｃのアーム２５Ｃに対する回動範囲が規制される。
【００４０】
図４、図７に示すように、回動首部２４Ｅのステイ２８が、ドラムボード２０Ｅに固定されると共に、アーム２５Ｅの自由端部２５Ｅｂに対して、左右方向に直交する面に沿って回動自在に連結されている。ステイ２８には、ステイ３０の円弧状溝３０ａと同様の円弧状溝２８ａが形成され、アーム２５Ｅの自由端部２５Ｅｂに固定的に設けられたピン２９が円弧状溝２８ａ内に係合している。
【００４１】
これらにより、展開状態においてドラムボード２０Ｃ、２０Ｅの角度の調節が可能であると共に、折り畳み状態においては、ドラムボード２０Ｃ、２０Ｅをメインボード１０に対して平行に近接させることができる。回動首部２３Ｄ、２４Ｆの構成は、回動首部２３Ｃ、２４Ｅとそれぞれ同様である。従って、ドラムボード２０Ｄ、２０Ｆについても、ドラムボード２０Ｃ、２０Ｅと同様に配置を変更することができる。
【００４２】
なお、回動首部２３Ｃ、２３Ｄ、２４Ｅ、２４Ｆは、回動に対して適当な摩擦が発生するように構成され、所望の位置でドラムボード２０Ｃ、２０Ｄ、２０Ｅ、２０Ｆの角度を維持可能になっている。これにより、回動首部２３Ｃ、２３Ｄ、２４Ｅ、２４Ｆに対するドラムボード２０Ｃ、２０Ｄ、２０Ｅ、２０Ｆの角度をネジ等で固定する構成に比し、展開／折り畳みの操作が容易である。
【００４３】
次に、第１回動機構部２１、第２回動機構部２２の詳細構成を説明する。第１回動機構部２１Ａ〜２１Ｈは、いずれも構成が同様である。また、第２回動機構部２２Ｅ、２２Ｆは、左右対称であるが、構成は同様である。従って、代表して、第１回動機構部２１Ｂ、第２回動機構部２２Ｅの構成を説明する。
【００４４】
図１１（ａ）は、第１回動機構部２１Ｂの斜視図、同図（ｂ）は、図６のＢ−Ｂ線に沿う第１回動機構部２１Ｂの断面図である。
【００４５】
図１１（ａ）に示すように、第１回動機構部２１Ｂは、一対のステイ４１、４２を有し、これらステイ４１、４２が、メインボード１０にネジ止め固定される。アーム２５Ｂの基端部には、筒体４０が固定されている。筒体４０は、アーム２５Ｂと一体に形成してもよい。同図（ｂ）に示すように、筒体４０の内側には、押しボタン体４３の一部が介装され、押しボタン体４３の押下部４３ｂが、ステイ４２の貫通穴４２ｂから突出している。
【００４６】
押しボタン体４３は、その円形の外周面４３ｄがステイ４２によって支持されている。外周面４３ｄと押下部４３ｂとの間の外周面は、外周面４３ｄ側に拡径するテーパ面４３ｃとなっている。ステイ４２には、テーパ面４３ｃに対応する内面であるテーパ面４２ａが形成されている。
【００４７】
また、押しボタン体４３の、筒体４０の内側に位置する部分であって、外周面４３ｄよりもステイ４１寄りの外側には、２面の切欠面４３ａが形成されている。筒体４０の内側には、切欠面４３ａに対応する平行な当接面４０ａが形成されている。当接面４０ａが切欠面４３ａに当接係合していることで、筒体４０と押しボタン体４３とが一体に回転し得るようになっている。
【００４８】
押しボタン体４３のステイ４１寄りの半部は、ステイ４１側に開口した凹部となっており、該凹部内及び筒体４０の内側に、スプリング４４が内装されている。スプリング４４は、上記凹部の底部である当接面４３ｅをステイ４２側に付勢し、何ら操作がなされていない状態では、テーパ面４３ｃをテーパ面４２ａに常に当接させている。
【００４９】
かかる構成において、アーム２５Ｂを回動させるには、ユーザは、押しボタン体４３の押下部４３ｂを押し込む。すると、テーパ面４２ａからテーパ面４３ｃが離れるので、ユーザは、押下部４３ｂを押下したまま、アーム２５Ｂを、筒体４０及び押しボタン体４３と共に自由に回動させることができる。適当な位置まで回動させた後、押下部４３ｂの押下を解除すると、再びテーパ面４２ａにテーパ面４３ｃが当接し、その回動位置にてアーム２５Ｂが固定状態となって、少々の力では回動位置が変化しないようになる。
【００５０】
図１２は、図３のＣ−Ｃに沿う第２回動機構部２２Ｅの断面図である。メインボード１０には、スピーカ取り付け穴１０ｃが形成され、該スピーカ取り付け穴１０ｃ内に、スピーカ５０が配置される。スピーカ取り付け穴１０ｃの奏者側からはスピーカ表カバー５１が、スピーカ取り付け穴１０ｃの客側からはスピーカ裏カバー５２が、それぞれ被せられている。客側から、複数のネジ３３によって、スピーカ表カバー５１とスピーカ裏カバー５２とが共締め状態でメインボード１０に固定されることによって、両カバー間にスピーカ５０が保持される。
【００５１】
スピーカ裏カバー５２の客側には、固定介在部材５３が嵌合されている。固定介在部材５３のフランジ部がスピーカ裏カバー５２のフランジ部を介してメインボード１０に螺合等によって固定されている。固定介在部材５３には、回転部材５５が係合している。すなわち、固定介在部材５３の客側における内周面５３ｂに、回転部材５５の客側の円柱状頭部５５ｂの外周面が摺動可能に嵌合されている。
【００５２】
固定介在部材５３には、嵌合穴５３ａが、回転部材５５の円周方向に複数（例えば、８個）、等間隔に形成されている。一方、回転部材５５のフランジ部には、嵌合穴５３ａに嵌合可能な突状係合部５５ａが、客側に一体に突設形成されている。突状係合部５５ａは、嵌合穴５３ａに対応する位置に嵌合穴５３ａと同数設けられるが、その数は嵌合穴５３ａより少なくてもよい。
【００５３】
回転部材５５の円柱状頭部５５ｂは、奏者側に開口する凹部を有し、該凹部内にスプリング５４が内装されている。スプリング５４は、スピーカ裏カバー５２の客側面に常に当接しており、回転部材５５を客側に常時付勢する。また、裏カバー５６が、客側から固定介在部材５３に被せられ、裏カバー５６のフランジ部が、固定介在部材５３のフランジ部に螺合等によって固定されている。回転部材５５の円柱状頭部５５ｂには、アーム２５Ｅの基端部２５Ｅａが複数のネジ５７で固定されている。従って、アーム２５Ｅは、回転部材５５と一体に回動する。第２回動機構部２２Ｆについても第２回動機構部２２Ｅと同様に構成され、アーム２５Ｆの基端部２５Ｆａが固定される。
【００５４】
第２回動機構部２２Ｅの組み付けは、次のようにしてなされる。まず、スピーカ取り付け穴１０ｃ内にスピーカ５０を配置し、スピーカ表カバー５１及びスピーカ裏カバー５２を取り付ける。一方、回転部材５５の上記凹部にスプリング５４を保持させると共に、回転部材５５と固定介在部材５３とを係合させた状態で、固定介在部材５３のフランジ部をスピーカ裏カバー５２のフランジ部に客側から当接させて螺合固定する。そのとき、スプリング５４の奏者側端部がスピーカ裏カバー５２に圧接する。
【００５５】
そして、裏カバー５６のフランジ部を固定介在部材５３のフランジ部に当接させて、上記圧接に抗して螺合固定する。さらに、回転部材５５の円柱状頭部５５ｂにアーム２５Ｅの基端部２５Ｅａをネジ５７で固定する。
【００５６】
かかる構成において、アーム２５Ｅを回動させるには、ユーザは、突状係合部５５ａが嵌合穴５３ａから抜ける程度まで、アーム２５Ｅの基端部２５Ｅａを奏者側に押圧する。そして、基端部２５Ｅａを押圧したままアーム２５Ｅを回動させ、所望の回動位置にて基端部２５Ｅａの押圧を解く。その時点では、突状係合部５５ａと嵌合穴５３ａとの位置は完全に一致していないのが通常であるので、ユーザは、基端部２５Ｅａを押圧することなくアーム２５Ｅをいずれかの方向に少しだけ回動させる。やがて、突状係合部５５ａが嵌合穴５３ａの位置に一致すると、嵌合穴５３ａに嵌入され、その回動位置にてアーム２５Ｅが固定状態となる。
【００５７】
図１３（ａ）〜（ｃ）は、ドラムボード２０Ａ、２０Ｂとメインボード１０との距離が展開状態と折り畳み状態との間でどのように変化するかを示す模式図である。同図（ａ）は平面視による展開状態、（ｂ）は側面視による展開状態、同図（ｃ）は側面視による折り畳み状態をそれぞれ示す作用図である。
【００５８】
例えば、ドラムボード２０Ａは、円盤状であり、その外縁を構成する点は無数ある。外縁上の位置である点の例示として、点Ｐ１、Ｐ２、Ｐ３を考える。展開状態における点Ｐ１、Ｐ２、Ｐ３からメインボード１０までの最短距離を、それぞれＬ１、Ｌ２、Ｌ３とする（同図（ａ）、（ｂ）参照）。一方、折り畳み状態では、点Ｐ１、Ｐ２、Ｐ３からメインボード１０までの最短距離は、それぞれＬ１ａ、Ｌ２ａ、Ｌ３ａとなる。ここで、Ｌ１＞Ｌ１ａ、Ｌ２＞Ｌ２ａ、Ｌ３＞Ｌ３ａが成立するようになっている。
【００５９】
このことは、点Ｐの位置をドラムボード２０の外縁上のどの位置にとっても成立するようになっている。従って、ドラムボード２０Ａ、２０Ｂについては、明らかに、ドラムボード２０の外縁上の位置とメインボード１０との最短距離の、ドラムボード２０の外縁上の全位置に関する総和は、折り畳み配置のときの方が、展開配置のときよりも小さい。これにより、折り畳み配置のときの方が、展開配置のときよりも、メインボード１０の厚み方向にコンパクトにすることができる（図４、図７も参照）。
【００６０】
また、このような、展開配置と折り畳み配置との間の、上記総和の大小関係は、ドラムボード２０Ｇについても成立する。なお、ドラムボード２０Ｃ〜２０Ｆについても、メインボード１０を上方まで仮想的に延長した場合において、上記総和の大小関係が成立するように構成してもよい。
【００６１】
なお、ドラムボード２０の外縁上の点のうち、一部の点については、展開配置と折り畳み配置との大小関係が上記とは逆になってもよい。従って、上記総和の大小関係が成立するように構成すれば、厚み方向にコンパクトにできるように構成することが容易となるという効果は得られる。また、上記総和の大小関係については、円形以外のドラムボードについても適用され、例えば、扇状等の外縁の点についても同様に考えることができる。
【００６２】
ところで、ユーザは、演奏時／収納時で、各ドラムボード２０を展開／折り畳み配置とするわけであるが、ドラムボード２０Ａ〜２０Ｇ及び操作パネル部１９については、互いの展開配置と折り畳み配置との間の変位行程が干渉しないように構成されている。従って、ユーザは、ドラムボード２０、操作パネル部１９を、如何なる順番でも支障なく展開／折り畳みすることができる。
【００６３】
演奏をする際には、メインボード１０を、その奏者側面１０ａが奏者に対面するように立設すると共に、ドラムボード２０等を展開配置とする。次に、メインボード１０を、立設するためのスタンド構造を説明する。
【００６４】
図１４は、メインボード１０の立設状態における打楽器装置の下半部を、その一部を断面で示す右側面である。図１５は、図１４のＤ−Ｄ線に沿う断面図である。図１４に示すメインボード１０の立設状態は、脚部６０の立設状態でもあるので、以降、単に「立設状態」と記すときは、メインボード１０、脚部６０の双方を対象としているものとする。図１６（ａ）は、脚部６０Ａの立設状態から折り畳み状態までの途中の状態を示す打楽器装置の下半部の側面図である。図１６（ｂ）は、脚部６０Ａの折り畳み状態を示す打楽器装置の下半部の側面図である。なお、図１４は図４と同じ状態、図１６（ｂ）は図７と同じ状態をそれぞれ示している。
【００６５】
このスタンド構造は、主として、脚部６０、リンクアーム７０、突設ステイ６７、一対の簡易保持部材７２及び金具６６を含んで構成される。このスタンド構造は、４箇所に構成されるが、いずれの構成も同様であるので、代表して、脚部６０Ａ及びそれに対応する構成要素について説明する。
【００６６】
図１４に示すように、脚部６０Ａは、金属等で長尺に構成され、立設状態においてはその下端部６０ａが接地される。厳密には、下端部６０ａに取り付けられた接地部材を介して接地される。脚部６０Ａの長手方向における中間部には、中間ステイ６１がメインボード１０側に突設されている。下端部６０ａと中間ステイ６１との中間付近には、左右方向に貫通した係合穴６２が穿設されている。脚部６０Ａの上端部６０ｂには、係合凹部６３及び鉤部６５が形成される。
【００６７】
図１７（ａ）は、後述する変形例であるが、金具６６、脚部６０Ａの係合凹部６３及び鉤部６５の構成は同じであるので、同図（ａ）を用いてこれらを説明する。係合凹部６３は、側面から見て上方に開口したコ字状を呈しており、立設状態において客側に対向する当接面６４と、水平な底面６３ａとを有する。また、底面６３ａの客側から上方に鉤部６５が突設形成される。
【００６８】
一方、金具６６は、メインボード１０に取り付けられている。金具６６には、係合部６６ａが設けられ、係合部６６ａより下の部分に、係合穴６６ｂが形成されている。係合穴６６ｂは、鉤部６５が挿抜可能な大きさに構成されている。係合穴６６ｂの下側面は、鉤部６５が挿抜しやすいように、斜面となっている。金具６６の係合部６６ａは、係合凹部６３に遊嵌され得る程度の厚みに構成される。
【００６９】
図１４、図１５に示すように、メインボード１０において、金具６６とフットペダル取付部１４との中間付近には、突設ステイ６７が固定的に突設されている。リンクアーム７０の基端部７０ａは、突設ステイ６７の先端部に、回動軸６８を介して連結され、リンクアーム７０は、回動軸６８を中心に、左右方向に直交する面に沿って回動自在となっている。リンクアーム７０の自由端部７０ｂは、脚部６０Ａの中間ステイ６１に、回動軸６９を介して連結されている。これにより、脚部６０Ａが、回動軸６９を中心に、左右方向に直交する面に沿って回動自在となっている。
【００７０】
また、一対の簡易保持部材７２は、突設ステイ６７の左右両側において先端部に固定され、両簡易保持部材７２の内側には、それぞれ突起部７３が対向して形成されている（図１５参照）。一方、突設ステイ６７には、突起部７３に対応する係合穴７１が形成されている。立設状態においては、両突起部７３が係合穴７１に嵌合され、リンクアーム７０がその回動位置で安定する。従って、脚部６０Ａも立設状態で安定する。一方、脚部６０Ａの折り畳み状態においては、両突起部７３が、脚部６０Ａの係合穴６２に嵌合されて、脚部６０Ａが折り畳み状態で安定する（図１６（ｂ）参照）。突起部７３と係合穴７１、６２との係合／係合解除は、ユーザの脚部６０Ａを動かす意図的な力によって可能なようになっている。
【００７１】
かかる構成において、脚部６０の立設／折り畳みは、次のようにしてなされる。まず、図１６（ｂ）に示す折り畳み状態において、脚部６０Ａの下端部６０ａを把持して、下端部６０ａがメインボード１０から離れる方向に下端部６０ａを引っ張る。すると、両簡易保持部材７２の突起部７３と脚部６０Ａの係合穴６２との係合が外れ、下端部６０ａをさらに引っ張ると、リンクアーム７０が図１６の時計方向に回動すると共に、脚部６０Ａがメインボード１０から離間及び／又は反時計方向に回動する。
【００７２】
そして、脚部６０Ａを操作して、リンクアーム７０を、一旦、脚部６０Ａの立設状態のときよりもさらに時計方向に少し回動した位置（図１６（ａ）参照）まで回動させる。すなわち、リンクアーム７０の係合穴７１が突起部７３に一旦係合し、さらに突起部７３を超えて突起部７３の下方に位置するまでリンクアーム７０を回動させる。この操作は、上端部６０ｂの鉤部６５を、高さ方向において、金具６６の係合穴６６ｂ（図１７参照）を通過できるように位置させるために行うものであり、脚部６０Ａの上端部６０ｂがメインボード１０に近接するまでの間または近接してから行う。
【００７３】
次に、この状態で、鉤部６５を係合穴６６ｂ内に挿入し、その後、脚部６０Ａ全体を上方に移動させるようにして、金具６６の係合部６６ａに係合凹部６３を係合させる。その際、リンクアーム７０は反時計方向に少し回動し、係合部６６ａに係合凹部６３が係合したときには突起部７３と係合穴７１とが嵌合される（図１４参照）。このような作業を、すべての脚部６０について行う。順番としては、いずれか一対の脚部６０（例えば、脚部６０Ａ及び脚部６０Ｃ）を先に立設するのが作業上やりやすい。
【００７４】
一対の脚部６０の立設がなされ、それらの下端部６０を接地させると、係合部６６ａの下端が係合凹部６３の底面６３ａに当接することで、メインボード１０の自重が底面６３ａにかかる。その力によって、脚部６０Ａは、その上端部６０ｂがメインボード１０に近づく方向に回動しようとするが、当接面６４が金具６６の対向面に当接して、脚部６０Ａの回動が規制される（図１４、図１７参照）。
【００７５】
すなわち、脚部６０Ａと脚部６０Ｃとは、メインボード１０の自重をそれぞれの底面６３ａで受ける一方で、それぞれの当接面６４が、対応する金具６６を圧接保持することになる。両側の当接面６４から受ける力は釣り合うので、メインボード１０が無理な曲げモーメント等の変形を誘引するような力を受けることがない。これにより、メインボード１０が鉛直方向に平行に安定して保持される。また、鉤部６５の上端が係合部６６ａの下端よりも上方にあるので、仮に、脚部６０Ａの上端部６０ｂが奏者側に引っ張られたとしても、鉤部６５が係合部６６ａに引っ掛かり、係合部６６ａと係合凹部６３との係合は容易には解けない。従って、鉤部６５は、簡易な係合維持機能を果たす。
【００７６】
装置を収納するために脚部６０Ａを折り畳む際には、立設時とは逆の行程を辿る。すなわち、下端部６０ａをやや床面から浮かせて、脚部６０Ａ全体を下方に移動させてから、係合部６６ａと係合凹部６３との係合を解いてから（図１６（ａ）参照）、鉤部６５を係合穴６６ｂから抜く。その後、脚部６０Ａを時計方向に回動させて、メインボード１０と平行となる位置まで移動させる（図１６（ｂ）参照）。突起部７３が、脚部６０Ａの係合穴６２に嵌合されて、脚部６０Ａの折り畳みが完了する。
【００７７】
ここで、本打楽器装置の折り畳み状態においては、図６に示すように、すべてのドラムボード２０Ａ〜２０Ｇ及び操作パネル部１９が、正面時において、メインボード１０の外縁１１の内側に収まる。しかも、すべての脚部６０についても、折り畳むことで外縁１１の内側に収まる。これらにより、収納時において、本打楽器装置全体を、メインボード１０の面方向（メインボード１０の奏者側面１０ａに平行な方向）にコンパクトにすることができる。
【００７８】
図１７（ａ）は、脚部６０Ａの上端部６０ｂと金具６６との係合部分の変形例を示す断面図である。同図（ｂ）は、同変形例を示す正面図である。上記のように、鉤部６５は、簡易な係合維持機能を果たすが、図１７に示す変形例では、係合部６６ａと係合凹部６３との係合をより確実に確保するロック機構を設ける。
【００７９】
まず、脚部６０Ａの上端部６０ｂの直ぐ右方において、金具６６の奏者側面に、ブロック７４を固着する。ブロック７４内には左右方向にスライド移動自在なピン７６が内装され、ピン７６は、摘み７５を持ってスライド操作可能に構成されている。一方、脚部６０Ａの上端部６０ｂには、ピン７６を挿抜可能な穴７７が左右方向に沿って穿設されている。
【００８０】
かかる構成において、係合部６６ａと係合凹部６３とが係合した状態で、摘み７５を持ってピン７６を左方にスライドさせ、ピン７６を穴７７に挿入する。これにより、係合部６６ａと係合凹部６３との係合状態でロックされる。従って、仮に、メインボード１０を持って上方に持ち上げたとしても、脚部６０Ａの上端部６０ｂが金具６６から離れてしまうことがない。これにより、メインボード１０を持って打楽器装置全体を移動させることが容易になる。
【００８１】
本実施の形態によれば、ドラムボード２０が、メインボード１０に対して展開／折り畳み自在にされたので、展開状態では演奏に適する一方、折り畳みにより、打楽器装置を容易にコンパクトに収納することができる。特に、ドラムボード２０は、折り畳み配置のときの方が、展開配置のときよりも、メインボード１０に対して近接し、しかも、メインボード１０に対して平行に近くなるので、装置の収納時において、メインボード１０の厚み方向にコンパクトにすることができる。
【００８２】
また、折り畳み配置のときには、ドラムボード２０Ｇは、メインボード１０に重なる定位置でドラムボード２０Ａに対して積層状態となり、且つ、展開配置のときよりも、ドラムボード２０Ｇがドラムボード２０Ａに近接し、しかも両ドラムボード２０Ａ、２０Ｇがメインボード１０に対しても平行に近接するので（図６〜図８参照）、ハイハットシンバルに相当するドラムボード２０Ｇを有した打楽器装置においても、装置をコンパクトに収納することができる。
【００８３】
また、ドラムボード２０Ｃ〜２０Ｆについては、回動首部２３Ｃ、２３Ｄ、２４Ｅ、２４Ｆを介して、対応するアーム２５の自由端部に角度可変に取り付けられたので（図２、図４、図７参照）、折り畳みの態様の自由度を高めることができる。これにより、各ドラムボード２０Ｃ〜２０Ｆの展開配置（演奏時）における角度調節を可能としつつも、折り畳み配置においてメインボード１０に対して平行にすることが可能となる。
【００８４】
また、ドラムボード２０Ｇは、アーム２５Ａに対して、連結アーム２５Ｇ１、第１回動機構部２１Ｇ１、アーム２５Ｇ２及び第１回動機構部２１Ｇ２からなるリンク機構を介して連結され、角度及び位置を可変に構成された（図１０参照）。これにより、ドラムボード２０Ａに対して近接、積層される状態と、ドラムボード２０Ａから離間して平行になる状態とにその配置状態を変化させることができる。よって、アーム２１Ｇ１乃至アーム２５Ｇ２をメインボード１０に直接連結する構成に比し、アーム２５Ｇ２が小型で済み、装置のコンパクト化に寄与する。しかも、ドラムボード２０Ａ、２０Ｇの積層時には、アーム２５Ｇ２がドラムボード２０Ａ、２０Ｇ間に挟まれてドラムボード２０Ａ、２０Ｇに対して積層状態となる（図８参照）。従って、アーム２５Ｇ２も嵩張らず、装置のコンパクト化に寄与する。
【００８５】
また、折り畳み状態においては、すべてのドラムボード２０、脚部６０、操作パネル部１９が、正面時において、メインボード１０の外縁１１の内側に収まるので、収納時において、本打楽器装置全体を、メインボード１０の面方向にコンパクトにすることができる。
【００８６】
また、ドラムボード２０Ａ〜２０Ｇ及び操作パネル部１９については、展開／折り畳みをするための変位行程が互いに干渉しないので、展開／折り畳みの順番を意識することなく、各ドラムボード２０等を独立して適切に変位させることができ、常に適切に展開／折り畳むことができる。
【００８７】
なお、メインボード１０に対してドラムボード２０を折り畳み可能にして、容易にコンパクトに収納するという観点からは、上記構成のように、ドラムボード２０がメインボード１０に対して平行に近接するのが最も望ましい。しかし、これに限られるものではなく、多くの機種においてコンパクト化を容易にする観点からは、ドラムボード２０の外縁上の位置とメインボード１０との最短距離の、ドラムボード２０の外縁上の全位置に関する総和を、折り畳み配置のときの方が、展開配置のときよりも小さくなるように構成すればよい（図１３参照）。
【００８８】
本実施の形態によればまた、メインボード１０には、バスドラムを想起させる枠部１３内において、奏者側面１０ａにバスドラムボード１２が固定的に配設され、スピーカ１７が、正面視において、枠部１３内であって、且つバスドラムボード１２を避けた位置に配置された（図３参照）。これにより、バスドラムボード１２の打撃からのスピーカ１７の保護を確保しつつ、スピーカ１７への外部配線を不要にして配線接続を簡素化することができる。また、バスドラムボード１２の近傍から発音がなされ、しかも、スピーカ１７の放音部が奏者側を向いているので、発音のリアリティが増す。さらに、ケース部１５内に基板１８が設けられたので、スピーカ１７と基板１８との配線を短くすることができる。
【００８９】
本実施の形態によればまた、ドラムボード２０Ｅ、２０Ｆがアーム２５Ｅ、２５Ｆを介して第２回動機構部２２Ｅ、２２Ｆに回動自在に配設され、且つ、第２回動機構部２２Ｅ、２２Ｆ内には、ドラムボード２０Ｅ、２０Ｆの打撃に起因する楽音を発生させるスピーカ５０がそれぞれ内蔵された（図１２参照）。これにより、ドラムボード２０Ｅ、２０Ｆの個々の打撃による楽音が、打撃位置の近傍における決まったスピーカ５０から発生するようにして、リアリティを増大させることができる。しかも、回動機構である第２回動機構部２２Ｅ、２２Ｆ内に楽音発生機構を収容したので、コンパクトである。
【００９０】
本実施の形態によればまた、脚部６０の係合部６６ａと金具６６の係合凹部６３とを係合させると共に、脚部６０の下端部６０ａを接地させることで、メインボード１０が立設状態になる一方、係合部６６ａと係合凹部６３との係合を解き、脚部６０をメインボード１０に平行に近接させることで、脚部６０及びリンクアーム７０が折り畳み状態となる（図１４〜図１６参照）。よって、簡単な操作で、薄型のメインボード１０を立設保持できると共に、装置の収納時には嵩張らないようにすることができる。
【００９１】
また、立設状態においては、突設ステイ６７に設けた突起部７３がリンクアーム７０の係合穴７１に嵌合され、一方、脚部６０Ａの折り畳み状態においては、突起部７３が、脚部６０Ａの係合穴６２に嵌合される（図１５、図１６（ｂ）参照）。これにより、メインボード１０の立設状態と、脚部６０Ａ及びリンクアーム７０の折り畳み状態とを、共に安定なものにすることができる。なお、突起部７３と係合穴７１、６２に限られず、嵌合等の係合によってリンクアーム７０の回動に対して軽い規制力を付与できればよいので、構成はこれらに限られない。例えば、凹凸関係はこれとは逆に構成してもよい。
【００９２】
また、係合凹部６３は、その底面６３ａによって、メインボード１０の自重を受けると共に、その当接面６４によって脚部６０Ａの上端部６０ｂをメインボード１０側に圧接させるので、簡単な構成で、安定的なメインボード１０の保持が実現される。
【００９３】
また、脚部６０、リンクアーム７０、係合部６６ａ及び係合凹部６３は、メインボード１０の奏者側及び客側においてメインボード１０を挟んで対称に、離間して２対設けられたので、立設状態では、メインボード１０の下端縁が床面から完全に離間した浮動状態にすることが可能となる。
【００９４】
なお、メインボード１０を立設状態とする観点に限って言えば、脚部６０等は少なくとも一対設ければよい。例えば、左右方向の端部に、脚部６０等を一対だけ設け、その配置位置から遠いメインボード１０の下縁には接地用突部を設けて、接地用突部を直接接地させて、３点支持により立設するように構成してもよい。そのようにする場合は、立設状態にしたとき、メインボード１０の上縁が左右方向に平行となるように構成すればよい。この場合でも、メインボード１０の下縁のうち、少なくとも脚部６０等が配設されている部分については、メインボード１０の立設時に浮動状態にすることが可能となる。
【００９５】
なお、本実施の形態において、メインボード１０にはバスドラムボード１２以外のドラムボードを固定的に備えてもよい。
【００９６】
なお、メインボード１０に対してドラムボード２０を折り畳み可能にして、装置を容易にコンパクトに収納することに限って言えば、本装置は電子ドラムでなく、アコースティックな打楽器装置であってもよい。また、各ドラムボード２０が打撃センサを有しない練習用パッドであるような打楽器装置であってもよい。
【００９７】
なお、メインボード１０の形状は、ドラムボード２０の安定保持の観点からは、上記実施の形態のように平板状が好ましいが、装置を容易にコンパクトに収納することに限って言えば、これに限られず、湾曲していてもよい。あるいは、メインボード１０は、網状であってもよい。
【００９８】
なお、各ドラムボード２０、操作パネル部１９について、回動範囲を規制して、展開配置と折り畳み配置の位置を一定位置に定める機構を設けてもよい。そのような機構は、例えば、第１回動機構部２１、第２回動機構部２２に設けてもよいし、各ドラムボード２０等と当接する部材をメインボード１０等に固定して設けてもよい。これにより、だれがやっても常に同じ位置でドラムボード２０等が展開／折り畳みされ、同じ展開状態及び折り畳み状態を再現することが可能となる。
【００９９】
なお、ドラムボード２０Ｇをドラムボード２０Ａに対して積層配置可能に構成する上では、ドラムボード２０Ａ、２０Ｇは、アーム２５Ａ、２５Ｇ１、２５Ｇ２以外のアーム部材を介して変位可能に構成してもよい。また、ドラムボード２０Ｇを変位させる構成は、アーム２５Ａに対して取り付けられたアーム部材（アーム２５Ｇ１、２５Ｇ２）を介して回動自在にされる構成に限られない。例えば、ドラムボード２０Ａと同様に、メインボード１０に対してアーム部材を介して回動自在に設け、なおかつ、折り畳み時にはドラムボード２０Ａに対して積層配置となるように構成してもよい。
【図面の簡単な説明】
【０１００】
【図１】本発明の一実施の形態に係る電子打楽器装置の斜視図である。
【図２】同打楽器装置の斜視図である。
【図３】本打楽器装置の展開状態における正面図（奏者側から見た図）である。
【図４】本打楽器装置の展開状態における左側面図である。
【図５】本打楽器装置の展開状態における平面図である。
【図６】本打楽器装置の折り畳み状態における正面図である。
【図７】本打楽器装置の折り畳み状態における左側面図である。
【図８】本打楽器装置の折り畳み状態における平面図である。
【図９】図５のＡ−Ａ線に沿う断面図である。
【図１０】ドラムボードを下方からみた部分下面図である。
【図１１】第１回動機構部の斜視図（図（ａ））、図６のＢ−Ｂ線に沿う第１回動機構部の断面図（図（ｂ））である。
【図１２】図３のＣ−Ｃに沿う第２回動機構部の断面図である。
【図１３】ドラムボードとメインボードとの距離が展開状態と折り畳み状態との間でどのように変化するかを示す展開状態の模式図（図（ａ）、（ｂ））、折り畳み状態の模式図（図（ｃ））である。
【図１４】メインボードの立設状態における打楽器装置の下半部を、その一部を断面で示す右側面である。
【図１５】図１４のＤ−Ｄ線に沿う断面図である。
【図１６】脚部の立設状態から折り畳み状態までの途中の状態を示す打楽器装置の下半部の側面図（図（ａ））、脚部の折り畳み状態を示す打楽器装置の下半部の側面図（図（ｂ））である。
【図１７】脚部の上端部と金具との係合部分の変形例を示す断面図（図（ａ））、及び正面図（図（ｂ））である。
【符号の説明】
【０１０１】
１０  メインボード、  １０ａ  奏者側面、  １２  バスドラムボード（被打撃部）、  １３  枠部、  １５  ケース部、  １７  スピーカ（音響発生部）、  １８  基板
【図１】
0004539592.tif 000002
【図２】
0004539592.tif 000003
【図３】
0004539592.tif 000004
【図４】
0004539592.tif 000005
【図５】
0004539592.tif 000006
【図６】
0004539592.tif 000007
【図７】
0004539592.tif 000008
【図８】
0004539592.tif 000009
【図９】
0004539592.tif 000010
【図１０】
0004539592.tif 000011
【図１１】
0004539592.tif 000012
【図１２】
0004539592.tif 000013
【図１３】
0004539592.tif 000014
【図１４】
0004539592.tif 000015
【図１５】
0004539592.tif 000016
【図１６】
0004539592.tif 000017
【図１７】
0004539592.tif 000018